【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
少なくとも１つのセカンダリキャリアが休止中であると決定することと、
前記少なくとも１つのセカンダリキャリアが休止中であるという前記決定に少なくとも部分的に基づいて、前記少なくとも１つのセカンダリキャリアに関するチャネル状態情報（ＣＳＩ）報告設定を決定することと、ここにおいて、前記ＣＳＩ報告設定は、前記少なくとも１つのセカンダリキャリアの休止時間期間中にＣＳＩを報告することを備え、前記ＣＳＩは、前記少なくとも１つのセカンダリキャリアに関する測定に基づく、
を備える、方法。
【請求項２】
前記少なくとも１つのセカンダリキャリアの前記休止時間期間の間の前記少なくとも１つのセカンダリキャリアに関するＣＳＩ基準信号（ＣＳＩ−ＲＳ）測定設定を決定することと、
前記ＣＳＩ基準信号（ＣＳＩ−ＲＳ）測定設定にしたがって、前記休止時間期間中に前記少なくとも１つのセカンダリキャリアに関するＣＳＩ−ＲＳ測定を実行することと、
前記ＣＳＩ−ＲＳ測定および前記決定されたＣＳＩ報告設定にさらに基づいて、前記休止時間期間の間のＣＳＩを報告することと、
をさらに備える、請求項１に記載の方法。
【請求項３】
前記ＣＳＩ−ＲＳ測定設定を決定することは、
前記少なくとも１つのセカンダリキャリアに関する発見基準信号設定に少なくとも部分的に基づいて、前記少なくとも１つのセカンダリキャリア上でのＣＳＩ−ＲＳ送信のためのスケジュールを決定すること、
を備える、請求項２に記載の方法。
【請求項４】
前記少なくとも１つのセカンダリキャリアの前記休止時間期間中に近隣セカンダリキャリアの少なくとも１つのＣＳＩ基準信号（ＣＳＩ−ＲＳ）を測定することと、
前記近隣セカンダリキャリアの前記少なくとも１つのＣＳＩ−ＲＳ測定、および前記決定されたＣＳＩ報告設定にさらに基づいて、ＣＳＩを報告することと、
をさらに備える、請求項１に記載の方法。
【請求項５】
前記近隣セカンダリキャリアが、前記近隣セカンダリキャリアの物理セルインデックスに少なくとも部分的に基づいて、前記休止時間期間中に前記少なくとも１つのＣＳＩ−ＲＳを測定するために識別される、請求項４に記載の方法。
【請求項６】
前記報告されたＣＳＩは、前記少なくとも１つのセカンダリキャリアのチャネル測定、前記少なくとも１つのセカンダリキャリアの干渉測定、またはそれらの組み合わせ、のうちの１つまたは複数を備える、請求項１に記載の方法。
【請求項７】
第１の基地局におけるワイヤレス通信の方法であって、
前記第１の基地局で、プライマリキャリアおよびセカンダリキャリアを使用する通信のために設定された第１のユーザ機器（ＵＥ）を識別することと、
前記セカンダリキャリアが休止中であると決定することと、
前記セカンダリキャリアの少なくとも１つの休止時間期間の間、前記セカンダリキャリア上で基準信号を送信するためのスケジュールを調整することと、
前記少なくとも１つのセカンダリキャリアの休止時間期間中にＣＳＩ報告を受信することと、ここにおいて、前記ＣＳＩ報告は、前記セカンダリキャリアに関する測定に基づく、
を備える方法。
【請求項８】
前記基準信号が、セル特有基準信号（ＣＲＳ）、チャネル状態情報基準信号（ＣＳＩ−ＲＳ）、ポジショニング基準信号（ＰＲＳ）、またはそれらの組み合わせ、のうちの１つまたは複数を備える、請求項７に記載の方法。
【請求項９】
前記スケジュールを調整することは、
前記セカンダリキャリアが休止中であると決定したことに基づいて、前記基準信号の送信の時間周波数を低減することを備える、請求項７に記載の方法。
【請求項１０】
前記プライマリキャリアは、第２の基地局によって送信される、請求項７に記載の方法。
【請求項１１】
前記ＵＥから、少なくとも１つのチャネル状態情報（ＣＳＩ）報告を受信することをさらに備え、前記少なくとも１つのＣＳＩ報告が、前記セカンダリキャリアの前記休止時間期間の間の近隣セカンダリキャリアに関連する情報を備える、請求項７に記載の方法。
【請求項１２】
第１の基地局におけるワイヤレス通信の方法であって、
プライマリキャリアおよびセカンダリキャリアを使用する通信のために設定された第１のユーザ機器（ＵＥ）を識別することと、
前記セカンダリキャリアが休止中であると決定することと、
前記セカンダリキャリアの少なくとも１つの休止時間期間の間、前記セカンダリキャリア上で基準信号を送信するためのスケジュールを調整することと、ここにおいて、前記基準信号を送信するための前記スケジュールを調整することが、前記セカンダリキャリアに関する発見基準信号設定に基づいて、チャネル状態情報基準信号（ＣＳＩ−ＲＳ）に関する送信スケジュールを決定することを備える、
を備える方法。
【請求項１３】
前記基準信号が、セル特有基準信号（ＣＲＳ）、チャネル状態情報基準信号（ＣＳＩ−ＲＳ）、ポジショニング基準信号（ＰＲＳ）、またはそれらの組み合わせ、のうちの１つまたは複数を備える、請求項１２に記載の方法。
【請求項１４】
前記スケジュールを調整することは、
前記セカンダリキャリアが休止中であると決定したことに基づいて、前記基準信号の送信の時間周波数を低減することを備える、請求項１２に記載の方法。
【請求項１５】
前記プライマリキャリアは、第２の基地局によって送信される、請求項１２に記載の方法。
【請求項１６】
前記ＵＥから、少なくとも１つのチャネル状態情報（ＣＳＩ）報告を受信することをさらに備え、前記少なくとも１つのＣＳＩ報告が、前記セカンダリキャリアの前記休止時間期間の間の近隣セカンダリキャリアに関連する情報を備える、請求項１２に記載の方法。
【請求項１７】
ユーザ機器（ＵＥ）におけるワイヤレス通信のための装置であって、
少なくとも１つのセカンダリキャリアが休止中であると決定するための手段と、
前記少なくとも１つのセカンダリキャリアが休止中であるという前記決定に少なくとも部分的に基づいて、前記少なくとも１つのセカンダリキャリアに関するチャネル状態情報（ＣＳＩ）報告設定を決定するための手段と、ここにおいて、前記ＣＳＩ報告設定は、前記少なくとも１つのセカンダリキャリアの休止時間期間中にＣＳＩを報告することを備え、前記ＣＳＩは、前記少なくとも１つのセカンダリキャリアに関する測定に基づく、
を備える装置。
【請求項１８】
前記少なくとも１つのセカンダリキャリアの前記休止時間期間の間の前記少なくとも１つのセカンダリキャリアに関するＣＳＩ基準信号（ＣＳＩ−ＲＳ）測定設定を決定するための手段と、
前記ＣＳＩ基準信号（ＣＳＩ−ＲＳ）測定設定にしたがって、前記休止時間期間中に前記少なくとも１つのセカンダリキャリアに関するＣＳＩ−ＲＳ測定を実行するための手段と、
前記ＣＳＩ−ＲＳ測定および前記決定されたＣＳＩ報告設定にさらに基づいて、前記休止時間期間の間のＣＳＩを報告するための手段と、
をさらに備える、請求項１７に記載の装置。
【請求項１９】
前記ＣＳＩ−ＲＳ測定設定を決定するための手段は、
前記少なくとも１つのセカンダリキャリアに関する発見基準信号設定に少なくとも部分的に基づいて、前記少なくとも１つのセカンダリキャリア上でのＣＳＩ−ＲＳ送信のためのスケジュールを決定するための手段、
を備える、請求項１８に記載の装置。
【請求項２０】
前記少なくとも１つのセカンダリキャリアの前記休止時間期間中に近隣セカンダリキャリアの少なくとも１つのＣＳＩ基準信号（ＣＳＩ−ＲＳ）を測定するための手段と、
前記近隣セカンダリキャリアの前記少なくとも１つのＣＳＩ−ＲＳ測定、および前記決定されたＣＳＩ報告設定にさらに基づいて、ＣＳＩを報告するための手段と、
をさらに備える、請求項１７に記載の装置。
【請求項２１】
前記近隣セカンダリキャリアが、前記近隣セカンダリキャリアの物理セルインデックスに少なくとも部分的に基づいて、前記休止時間期間中に前記少なくとも１つのＣＳＩ−ＲＳを測定するために識別される、請求項２０に記載の装置。
【請求項２２】
前記報告されたＣＳＩは、前記少なくとも１つのセカンダリキャリアのチャネル測定、前記少なくとも１つのセカンダリキャリアの干渉測定、またはそれらの組み合わせ、のうちの１つまたは複数を備える、請求項１７に記載の装置。
【請求項２３】
第１の基地局におけるワイヤレス通信のための装置であって、
プライマリキャリアおよびセカンダリキャリアを使用する通信のために設定された第１のユーザ機器（ＵＥ）を識別するための手段と、
前記セカンダリキャリアが休止中であると決定するための手段と、
前記セカンダリキャリアの少なくとも１つの休止時間期間の間、前記セカンダリキャリア上で基準信号を送信するためのスケジュールを調整するための手段と、
前記少なくとも１つのセカンダリキャリアの休止時間期間中に、前記ＵＥからチャネル状態情報（ＣＳＩ）報告を受信するための手段と、ここにおいて、前記ＣＳＩ報告は、前記セカンダリキャリアに関する測定に基づく、
を備える装置。
【請求項２４】
前記基準信号が、セル特有基準信号（ＣＲＳ）、チャネル状態情報基準信号（ＣＳＩ−ＲＳ）、ポジショニング基準信号（ＰＲＳ）、またはそれらの組み合わせ、のうちの１つまたは複数を備える、請求項２３に記載の装置。
【請求項２５】
前記スケジュールを調整するための手段は、前記セカンダリキャリアが休止中であると決定したことに基づいて、前記基準信号の送信の時間周波数を低減する、請求項２３に記載の装置。
【請求項２６】
前記プライマリキャリアは、第２の基地局によって送信される、請求項２３に記載の装置。
【請求項２７】
前記ＵＥから、少なくとも１つのチャネル状態情報（ＣＳＩ）報告を受信するための手段をさらに備え、前記少なくとも１つのＣＳＩ報告が、前記セカンダリキャリアの前記休止時間期間の間の近隣セカンダリキャリアに関連する情報を備える、請求項２３に記載の装置。
【請求項２８】
第１の基地局におけるワイヤレス通信のための装置であって、
プライマリキャリアおよびセカンダリキャリアを使用する通信のために設定された第１のユーザ機器（ＵＥ）を識別するための手段と、
前記セカンダリキャリアが休止中であると決定するための手段と、
前記セカンダリキャリアの少なくとも１つの休止時間期間の間、前記セカンダリキャリア上で基準信号を送信するためのスケジュールを調整するための手段と、ここにおいて、前記基準信号を送信するための前記スケジュールを調整するための手段が、前記セカンダリキャリアに関する発見基準信号設定に基づいて、チャネル状態情報基準信号（ＣＳＩ−ＲＳ）に関する送信スケジュールを決定するための手段を備える、
を備える装置。
【請求項２９】
前記基準信号が、セル特有基準信号（ＣＲＳ）、チャネル状態情報基準信号（ＣＳＩ−ＲＳ）、ポジショニング基準信号（ＰＲＳ）、またはそれらの組み合わせ、のうちの１つまたは複数を備える、請求項２８に記載の装置。
【請求項３０】
前記スケジュールを調整するための手段は、前記セカンダリキャリアが休止中であると決定したことに基づいて、前記基準信号の送信の時間周波数を低減する、請求項２８に記載の装置。
【請求項３１】
前記プライマリキャリアは、第２の基地局によって送信される、請求項２８に記載の装置。
【請求項３２】
前記ＵＥから、少なくとも１つのチャネル状態情報（ＣＳＩ）報告を受信するための手段をさらに備え、前記少なくとも１つのＣＳＩ報告が、前記セカンダリキャリアの前記休止時間期間の間の近隣セカンダリキャリアに関連する情報を備える、請求項２８に記載の装置。
【請求項３３】
ユーザ機器（ＵＥ）におけるワイヤレス通信のための装置であって、システムにおいて、
プロセッサと、
前記プロセッサと電子通信状態にあるメモリと、
前記メモリに記憶された命令と、
を備え、前記プロセッサによって実行されるとき、前記命令は、前記装置に、
少なくとも１つのセカンダリキャリアが休止中であると決定することと、
前記少なくとも１つのセカンダリキャリアが休止中であるという前記決定に少なくとも部分的に基づいて、前記少なくとも１つのセカンダリキャリアに関するチャネル状態情報（ＣＳＩ）報告設定を決定することと、ここにおいて、前記ＣＳＩ報告設定は、前記少なくとも１つのセカンダリキャリアの休止時間期間中にＣＳＩを報告することを備え、前記ＣＳＩは、前記少なくとも１つのセカンダリキャリアに関する測定に基づく、
を行わせるように動作可能である装置。
【請求項３４】
前記コードは、前記装置に、
前記少なくとも１つのセカンダリキャリアの前記休止時間期間の間の前記少なくとも１つのセカンダリキャリアに関するＣＳＩ基準信号（ＣＳＩ−ＲＳ）測定設定を決定することと、
前記ＣＳＩ基準信号（ＣＳＩ−ＲＳ）測定設定にしたがって、前記休止時間期間中に前記少なくとも１つのセカンダリキャリアに関するＣＳＩ−ＲＳ測定を実行することと、
前記ＣＳＩ−ＲＳ測定および前記決定されたＣＳＩ報告設定にさらに基づいて、前記休止時間期間の間のＣＳＩを報告することと、
を行わせるように前記プロセッサによってさらに実行可能である、請求項３３に記載の装置。
【請求項３５】
前記ＣＳＩ−ＲＳ測定設定を決定することは、
前記少なくとも１つのセカンダリキャリアに関する発見基準信号設定に少なくとも部分的に基づいて、前記少なくとも１つのセカンダリキャリア上でのＣＳＩ−ＲＳ送信のためのスケジュールを決定すること、
を備える、請求項３４に記載の装置。
【請求項３６】
前記コードは、前記装置に、
前記少なくとも１つのセカンダリキャリアの前記休止時間期間中に近隣セカンダリキャリアの少なくとも１つのＣＳＩ基準信号（ＣＳＩ−ＲＳ）を測定することと、
前記近隣セカンダリキャリアの前記少なくとも１つのＣＳＩ−ＲＳ測定、および前記決定されたＣＳＩ報告設定にさらに基づいて、ＣＳＩを報告することと、
を行わせるように前記プロセッサによってさらに実行可能である、請求項３３に記載の装置。
【請求項３７】
前記近隣セカンダリキャリアが、前記近隣セカンダリキャリアの物理セルインデックスに少なくとも部分的に基づいて、前記休止時間期間中に前記少なくとも１つのＣＳＩ−ＲＳを測定するために識別される、請求項３６に記載の装置。
【請求項３８】
前記報告されたＣＳＩは、前記少なくとも１つのセカンダリキャリアのチャネル測定、前記少なくとも１つのセカンダリキャリアの干渉測定、またはそれらの組み合わせ、のうちの１つまたは複数を備える、請求項３３に記載の装置。
【請求項３９】
第１の基地局におけるワイヤレス通信のための装置であって、システムにおいて、
プロセッサと、
前記プロセッサと電子通信状態にあるメモリと、
前記メモリに記憶された命令と、
を備え、前記プロセッサによって実行されるとき、前記命令は、前記装置に、
プライマリキャリアおよびセカンダリキャリアを使用する通信のために設定された第１のユーザ機器（ＵＥ）を識別することと、
前記セカンダリキャリアが休止中であると決定することと、
前記セカンダリキャリアの少なくとも１つの休止時間期間の間、前記セカンダリキャリア上で基準信号を送信するためのスケジュールを調整することと、
前記少なくとも１つのセカンダリキャリアの休止時間期間中に、前記ＵＥからチャネル状態情報（ＣＳＩ）報告を受信することと、ここにおいて、前記ＣＳＩ報告は、前記セカンダリキャリアに関する測定に基づく、
を行わせるように動作可能である装置。
【請求項４０】
前記基準信号が、セル特有基準信号（ＣＲＳ）、チャネル状態情報基準信号（ＣＳＩ−ＲＳ）、ポジショニング基準信号（ＰＲＳ）、またはそれらの組み合わせ、のうちの１つまたは複数を備える、請求項３９に記載の装置。
【請求項４１】
前記スケジュールを調整することは、
前記セカンダリキャリアが休止中であると決定したことに基づいて、前記基準信号の送信の時間周波数を低減することを備える、請求項３９に記載の装置。
【請求項４２】
前記プライマリキャリアは、第２の基地局によって送信される、請求項３９に記載の装置。
【請求項４３】
前記命令は、前記装置に、
前記ＵＥから、少なくとも１つのチャネル状態情報（ＣＳＩ）報告を受信することを行わせるように前記プロセッサによってさらに実行可能であり、前記少なくとも１つのＣＳＩ報告が、前記セカンダリキャリアの前記休止時間期間の間の近隣セカンダリキャリアに関連する情報を備える、請求項３９に記載の装置。
【請求項４４】
第１の基地局におけるワイヤレス通信のための装置であって、システムにおいて
プロセッサと、
前記プロセッサと電子通信状態にあるメモリと、
前記メモリに記憶された命令と、
を備え、前記プロセッサによって実行されるとき、前記命令は、前記装置に、
プライマリキャリアおよびセカンダリキャリアを使用する通信のために設定された第１のユーザ機器（ＵＥ）を識別することと、
前記セカンダリキャリアが休止中であると決定することと、
前記セカンダリキャリアの少なくとも１つの休止時間期間の間、前記セカンダリキャリア上で基準信号を送信するためのスケジュールを調整することと、ここにおいて、前記基準信号を送信するための前記スケジュールを調整することが、前記セカンダリキャリアに関する発見基準信号設定に基づいて、チャネル状態情報基準信号（ＣＳＩ−ＲＳ）に関する送信スケジュールを決定することを備える、
を行わせるように動作可能である装置。
【請求項４５】
前記基準信号が、セル特有基準信号（ＣＲＳ）、チャネル状態情報基準信号（ＣＳＩ−ＲＳ）、ポジショニング基準信号（ＰＲＳ）、またはそれらの組み合わせ、のうちの１つまたは複数を備える、請求項４４に記載の装置。
【請求項４６】
前記スケジュールを調整することは、
前記セカンダリキャリアが休止中であると決定したことに基づいて、前記基準信号の送信の時間周波数を低減することを備える、請求項４４に記載の装置。
【請求項４７】
前記プライマリキャリアは、第２の基地局によって送信される、請求項４４に記載の装置。
【請求項４８】
前記命令は、前記装置に、
前記ＵＥから、少なくとも１つのチャネル状態情報（ＣＳＩ）報告を受信することを行わせるように前記プロセッサによってさらに実行可能であり、前記少なくとも１つのＣＳＩ報告が、前記セカンダリキャリアの前記休止時間期間の間の近隣セカンダリキャリアに関連する情報を備える、請求項４４に記載の装置。
【請求項４９】
ユーザ機器（ＵＥ）におけるワイヤレス通信のためのコードを記憶する非一時的なコンピュータ可読媒体であって、前記コードは、
少なくとも１つのセカンダリキャリアが休止中であると決定することと、
前記少なくとも１つのセカンダリキャリアが休止中であるという前記決定に少なくとも部分的に基づいて、前記少なくとも１つのセカンダリキャリアに関するチャネル状態情報（ＣＳＩ）報告設定を決定することと、ここにおいて、前記ＣＳＩ報告設定は、前記少なくとも１つのセカンダリキャリアの休止時間期間中にＣＳＩを報告することを備え、前記ＣＳＩは、前記少なくとも１つのセカンダリキャリアに関する測定に基づく、
を行うようにプロセッサによって実行可能である命令を備える非一時的なコンピュータ可読媒体。
【請求項５０】
基地局におけるワイヤレス通信のためのコードを記憶する非一時的なコンピュータ可読媒体であって、前記コードは、
プライマリキャリアおよびセカンダリキャリアを使用する通信のために設定された第１のユーザ機器（ＵＥ）を識別することと、
前記セカンダリキャリアが休止中であると決定することと、
前記セカンダリキャリアの少なくとも１つの休止時間期間の間、前記セカンダリキャリア上で基準信号を送信するためのスケジュールを調整することと、
前記少なくとも１つのセカンダリキャリアの休止時間期間中に、前記ＵＥからチャネル状態情報（ＣＳＩ）報告を受信することと、ここにおいて、前記ＣＳＩ報告は、前記セカンダリキャリアに関する測定に基づく、
を行うようにプロセッサによって実行可能である命令を備える非一時的なコンピュータ可読媒体。
【請求項５１】
基地局におけるワイヤレス通信のためのコードを記憶する非一時的なコンピュータ可読媒体であって、前記コードは、
プライマリキャリアおよびセカンダリキャリアを使用する通信のために設定された第１のユーザ機器（ＵＥ）を識別することを行うようにプロセッサによって実行可能な命令を備え、
前記命令は、
前記セカンダリキャリアが休止中であると決定することと、
前記セカンダリキャリアの少なくとも１つの休止時間期間の間、前記セカンダリキャリア上で基準信号を送信するためのスケジュールを調整することと、ここにおいて、前記基準信号を送信するための前記スケジュールを調整することが、前記セカンダリキャリアに関する発見基準信号設定に基づいて、チャネル状態情報基準信号（ＣＳＩ−ＲＳ）に関する送信スケジュールを決定することを備える、
を行うように実行可能である非一時的なコンピュータ可読媒体。
【手続補正２】
【補正対象書類名】明細書
【補正対象項目名】０１５８
【補正方法】変更
【補正の内容】
【０１５８】
[0173]本明細書で説明されている技法は、ＣＤＭＡ、ＴＤＭＡ、ＦＤＭＡ、ＯＦＤＭＡ、ＳＣ−ＦＤＭＡ、または他のシステムのような様々なワイヤレス通信システムのために使用されうる。「システム」および「ネットワーク」という用語は、しばしば交換可能に使用される。ＣＤＭＡシステムは、ＣＤＭＡ２０００、ユニバーサル地上無線アクセス（ＵＴＲＡ）等のような無線技術を実装することができる。ＣＤＭＡ２０００は、ＩＳ−２０００、ＩＳ−９５、ＩＳ−８５６規格をカバーする。ＩＳ−２０００リリース０およびＡは一般に、ＣＤＭＡ２０００  １Ｘ、１Ｘ、等と称される。ＩＳ−８５６（ＴＩＡ−８５６）は一般に、ＣＤＭＡ２０００  １ｘＥＶ−ＤＯ、高速パケットデータ（ＨＲＰＤ）、等と称される。ＵＴＲＡは、広帯域ＣＤＭＡ（ＷＣＤＭＡ（登録商標））およびＣＤＭＡの他の変形を含む。ＴＤＭＡシステムは、移動体通信のための全世界システム（ＧＳＭ（登録商標））のような無線技術を実装することができる。ＯＦＤＭＡシステムは、ウルトラモバイルブロードバンド（ＵＭＢ）、進化型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭａｘ）、ＩＥＥＥ８０２．２０、Ｆｌａｓｈ−ＯＦＤＭ等のような無線技術を実装することができる。ＵＴＲＡおよびＥ−ＵＴＲＡは、ユニバーサルモバイルテレコミュニケ―ションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の組織による文書で説明されている。ＣＤＭＡ２０００およびＵＭＢは、「第３世代パートナーシッププロジェクト２」（３ＧＰＰ２）という名称の組織による文書で説明されている。本明細書で説明されている技法は、上記で言及されたシステムおよび無線技術、それに加えて他のシステムおよび無線技術のために使用されうる。しかしながら上記の説明は、例の目的でＬＴＥを説明しており、ＬＴＥの専門用語が上記の説明のほとんどにおいて使用されているけれども、その技法はＬＴＥアプリケーションを超えて適用可能である。
以下に本願の出願当初の特許請求の範囲に記載された発明を付記する。
［Ｃ１］
ワイヤレス通信の方法であって、
少なくとも１つのセカンダリキャリアが休止中であると決定することと、
前記少なくとも１つのセカンダリキャリアが休止中であるという前記決定に少なくとも部分的に基づいて、前記少なくとも１つのセカンダリキャリアに関するチャネル状態情報（ＣＳＩ）報告設定を決定することと、
を備える、方法。
［Ｃ２］
前記ＣＳＩ報告設定は、
周期的なＣＳＩ報告または非周期的なＣＳＩ報告のうちの１つまたは複数、あるいはそれらの組み合わせのために前記少なくとも１つのセカンダリキャリアに関するＣＳＩ報告を抑制することを備える、Ｃ１に記載の方法。
［Ｃ３］
前記ＣＳＩ報告設定は、
前記少なくとも１つのセカンダリキャリアが非休止中であった少なくとも１つの時間期間中の前記少なくとも１つのセカンダリキャリアのチャネル測定に基づいて、前記少なくとも１つのセカンダリキャリアの第１の休止中の時間期間の間、ＣＳＩを報告することを備える、Ｃ１に記載の方法。
［Ｃ４］
前記ＣＳＩ報告設定は、前記少なくとも１つの時間期間からの前記チャネル測定を平均化することをさらに備える、Ｃ３に記載の方法。
［Ｃ５］
前記少なくとも１つのセカンダリキャリアの休止時間期間の間の前記少なくとも１つのセカンダリキャリアに関するＣＳＩ基準信号（ＣＳＩ−ＲＳ）測定設定を決定することと、
前記ＣＳＩ基準信号（ＣＳＩ−ＲＳ）測定設定にしたがって、前記休止時間期間中に前記少なくとも１つのセカンダリキャリアに関するＣＳＩ−ＲＳ測定を実行することと、
前記ＣＳＩ−ＲＳ測定および前記決定されたＣＳＩ報告設定に基づいて、前記休止時間期間の間のＣＳＩを報告することと、
をさらに備える、Ｃ１に記載の方法。
［Ｃ６］
前記ＣＳＩ−ＲＳ測定設定を決定することは、
前記少なくとも１つのセカンダリキャリアに関する発見基準信号設定に少なくとも部分的に基づいて、前記少なくとも１つのセカンダリキャリア上でＣＳＩ−ＲＳ送信のためのスケジュールを決定すること、
を備える、Ｃ５に記載の方法。
［Ｃ７］
前記少なくとも１つのセカンダリキャリアの休止時間期間中に近隣セカンダリキャリアの少なくとも１つのＣＳＩ基準信号（ＣＳＩ−ＲＳ）を測定することと、
前記近隣セカンダリキャリアの前記少なくとも１つのＣＳＩ−ＲＳ測定、および前記決定されたＣＳＩ報告設定に基づいて、ＣＳＩを報告することと、
をさらに備える、Ｃ１に記載の方法。
［Ｃ８］
前記近隣セカンダリキャリアが、前記近隣セカンダリキャリアの物理セルインデックスに少なくとも部分的に基づいて、前記休止時間期間中に前記少なくとも１つのＣＳＩ−ＲＳを測定するために識別される、Ｃ７に記載の方法。
［Ｃ９］
前記ＣＳＩ報告設定は、
前記少なくとも１つのセカンダリキャリアの休止時間期間中の前記少なくとも１つのセカンダリキャリアに関する測定に基づいて、ＣＳＩを報告することを備える、Ｃ１に記載の方法。
［Ｃ１０］
前記報告されたＣＳＩは、前記少なくとも１つのセカンダリキャリアのチャネル測定、前記少なくとも１つのセカンダリキャリアの干渉測定、またはそれらの組み合わせ、のうちの１つまたは複数を備える、Ｃ９に記載の方法。
［Ｃ１１］
ワイヤレス通信の方法であって、
第１の基地局で、プライマリキャリアおよびセカンダリキャリアを使用する通信のために設定された第１のユーザ機器（ＵＥ）を識別することと、
前記セカンダリキャリアが休止中であると決定することと、
前記セカンダリキャリアの少なくとも１つの休止時間期間の間、前記セカンダリキャリア上で基準信号を送信するためのスケジュールを調整することと、
を備える方法。
［Ｃ１２］
前記基準信号が、セル特有基準信号（ＣＲＳ）、チャネル状態情報基準信号（ＣＳＩ−ＲＳ）、ポジショニング基準信号（ＰＲＳ）、またはそれらの組み合わせ、のうちの１つまたは複数を備える、Ｃ１１に記載の方法。
［Ｃ１３］
前記スケジュールを調整することは、
前記セカンダリキャリアが休止中であると決定したことに基づいて、前記基準信号の送信の時間周波数を低減することを備える、Ｃ１１に記載の方法。
［Ｃ１４］
前記基準信号を送信するための前記スケジュールを調整することが、前記セカンダリキャリアに関する発見基準信号設定に基づいて、チャネル状態情報基準信号（ＣＳＩ−ＲＳ）に関する送信スケジュールを決定することを備える、Ｃ１１に記載の方法。
［Ｃ１５］
前記プライマリキャリアは、第２の基地局によって送信される、Ｃ１１に記載の方法。
［Ｃ１６］
前記ＵＥから、少なくとも１つのチャネル状態情報（ＣＳＩ）報告を受信することをさらに備え、前記少なくとも１つのＣＳＩ報告が、前記セカンダリキャリアの前記休止時間期間の間の近隣セカンダリキャリアに関連する情報を備える、Ｃ１１に記載の方法。
［Ｃ１７］
ワイヤレス通信の方法であって、
少なくとも１つのセカンダリキャリアが休止中であるというインジケーションのための、プライマリキャリアおよび１つまたは複数のセカンダリキャリアのうちからの１つのキャリアをモニタリングすることと、
前記インジケーションに基づいて、前記少なくとも１つのセカンダリキャリアが休止中であるかどうかを決定することと、
を備える、方法。
［Ｃ１８］
前記少なくとも１つのセカンダリキャリアが休止中であるかどうかを決定することは、
前記インジケーションの存在に基づいて、前記少なくとも１つのセカンダリキャリアが、予め決定された時間期間の間休止中であると決定することを備える、Ｃ１７に記載の方法。
［Ｃ１９］
前記少なくとも１つのセカンダリキャリアが休止中であるかどうかを決定することは、
キャリアモードインジケータの不在に基づいて、前記少なくとも１つのセカンダリキャリアが、予め決定された時間期間の間休止中であると決定することを備える、Ｃ１７に記載の方法。
［Ｃ２０］
前記キャリアをモニタリングすることは、
前記インジケーションを備えるダウンリンク制御情報（ＤＣＩ）のための予め定義された時間インターバルで、前記キャリアの探索空間をモニタリングすることを備える、Ｃ１７に記載の方法。
［Ｃ２１］
前記予め定義された時間インターバルは、１つまたは複数の無線フレームを備える、Ｃ２０に記載の方法。
［Ｃ２２］
前記キャリアは、前記インジケーションのためにモニタリングされた前記キャリアを備える、Ｃ１７に記載の方法。
［Ｃ２３］
前記少なくとも１つのセカンダリキャリアおよび前記インジケーションのためにモニタリングされた前記キャリアは、異なるキャリアを備える、Ｃ１７に記載の方法。
［Ｃ２４］
前記インジケーションのためにモニタリングすることは、前記少なくとも１つのセカンダリキャリアのアクティブ化状態に基づく、Ｃ１７に記載の方法。
［Ｃ２５］
ワイヤレス通信の方法であって、
基地局で、プライマリキャリアおよび１つまたは複数のセカンダリキャリアを含む複数のセカンダリキャリアを使用する少なくとも１つのユーザ機器（ＵＥ）との通信のための設定を確立することと、
前記少なくとも１つのＵＥに、前記１つまたは複数のキャリアからの少なくとも１つのセカンダリキャリアが休止中であると示すことと、
を備える、方法。
［Ｃ２６］
前記１つまたは複数のセカンダリキャリアからの前記少なくとも１つのセカンダリキャリアが休止中であると示すことは、
前記１つまたは複数のセカンダリキャリアからの前記少なくとも１つのセカンダリキャリアが、予め決定された時間期間の間休止中であるというインジケーションを送信することを備える、Ｃ２５に記載の方法。
［Ｃ２７］
前記インジケーションを送信することは、
前記１つまたは複数のセカンダリキャリアに関連付けられた探索空間においてダウンリンク制御情報（ＤＣＩ）を送信することを備える、Ｃ２６に記載の方法。
［Ｃ２８］
前記インジケーションを送信することは、
前記少なくとも１つのセカンダリキャリアとは異なるキャリアによって前記インジケーションを送信することを備える、Ｃ２６に記載の方法。
［Ｃ２９］
前記インジケーションを送信することは、
前記少なくとも１つのセカンダリキャリアによって前記インジケーションを送信することを備える、Ｃ２６に記載の方法。
［Ｃ３０］
前記１つまたは複数のセカンダリキャリアからの前記少なくとも１つのセカンダリキャリアが休止中であると示すことは、
前記１つまたは複数のセカンダリキャリアからの前記少なくとも１つのセカンダリキャリアが非休止中であるという周期的インジケーションの送信を省略することを備える、Ｃ２５に記載の方法。